(57)【要約】【課題】      長さを縮めて持ち運びの邪魔にならないようにできると共に洗浄が容易な釣り用柄杓立てを提供すること。【解決手段】  合成樹脂や金属で形成された外側筒状体２の内部に合成樹脂や金属で形成された内側筒状体３が層状に重合されて継ぎ合わせ嵌合で外側筒状体２の下側から内側筒状体３が出没自在になっている。  外側筒状体２は上側の開口２ａが矩形の筒状部２′と下側の円錐形の筒状部２″が一体に形成されて外側筒状体２の筒状部２″と内側筒状体３は下方側が上方側に比べ縮径されて小径に形成されて内側筒状体３の上側の外周係合部３ａは筒状部２″の内周係合部２ｄの内側にテ−パ−で嵌合されて下側に抜け止めされている。  内側筒状体３は上方が開放されているが下方は底部３ｂが形成されて閉塞されている。【選択図】        図３
2006055107.tif 000002
【特許請求の範囲】
【請求項１】
複数の筒状体を内外に重合して出没自在に収納し、筒状体は引き出したときに分離を規制する係合部を有していることを特徴とする釣り用柄杓立て。
【発明の詳細な説明】
【技術分野】
【０００１】
本発明は、釣り用バケツに取り付けられる、複数の筒状体を内外に重合して出没自在に収納できてように改良した釣り用柄杓立てに関する。
【背景技術】
【０００２】
従来から撒き餌を使用する釣りにおいて撒き餌用の柄杓が用いられており、この柄杓を使用しないときにこれを立てかけて保持しておくための柄杓立てが用いられている。
これらの柄杓立ては主に撒き餌等を収納する容器に取り付けて使用されていた。
このような柄杓立てのうち、特許文献１は、深さの異なる容器に取り付けて使用できるように胴体が全長に亘って蛇腹状に形成され伸縮自在に形成されている。
しかし、このような釣り用柄杓立ては、長さ調整が出来ても蛇腹状の胴体の内側が凹凸状に形成されるため、撒き餌の付着した釣り用柄杓を差し込むと前記凹凸の間に撒き餌が入り込みきれいに洗浄することが出来ないという欠点を有している。
【特許文献１】特開２００１−２７５５３８公報
【発明の開示】
【発明が解決しようとする課題】
【０００３】
解決しようとする問題点は、蛇腹状の胴体を有する釣り用柄杓立ての胴体内側の凹凸の間に撒き餌が入り込みきれいに洗浄することが難しいこと。
である。
【０００４】
本発明の目的は前記欠点に鑑み、長さを縮めて持ち運びの邪魔にならないようにできると共に洗浄が容易な釣り用柄杓立てを提供することである。
【課題を解決するための手段】
【０００５】
本発明の請求項１は、複数の筒状体を内外に重合して出没自在に収納し、筒状体は引き出したときに分離を規制する係合部を有していることを要旨とするものである。
【発明の効果】
【０００６】
本発明により、釣り用柄杓立ては内側筒状体を外側筒状体の内部に収納して長さを縮めて持ち運びの邪魔にならないようにできると共に洗浄が容易にできる。
【発明を実施するための最良の形態】
【０００７】
釣り用柄杓立て１は合成樹脂や金属で形成された外側筒状体２の内部に合成樹脂や金属で形成された内側筒状体３が層状に重合されて継ぎ合わせ嵌合で外側筒状体２の下側から内側筒状体３が出没自在になっている。
外側筒状体２は上側の開口２ａが矩形の筒状部２′と下側の円錐形の筒状部２″が一体に形成されている。
外側筒状体２の筒状部２″と内側筒状体３は下方側が上方側に比べ縮径されて小径に形成されて内側筒状体３の上側の外周係合部３ａは筒状部２″の内周係合部２ｄの内側にテ−パ−で嵌合されて下側に抜け止めされている。
内周係合部２ｄと外周係合部３ａにはこの部分の動きを確実に止め又は、水漏れを少なくするため筒状部２″や内側筒状体３より軟質の合成樹脂層が設けられている。
内側筒状体３は上方が開放されているが下方は底部３ｂが形成されて閉塞されている。
【実施例１】
【０００８】
以下、図示の実施例によって本発明を説明すると、図１から図５は第１実施例で、図１は釣り用柄杓立ての平面図、図２は釣り用柄杓立てが引き出し状態の係止具側の側面図、図３は釣り用柄杓立てが引き出し状態の係止具を右側にした側面図、図４は釣り用柄杓立てが収納状態の係止具を右側にした側面図、図５は柄杓が差し込まれた釣り用容器の一側面に釣り用柄杓立てを取り付けた要部断面側面図である。
【０００９】
釣り用柄杓立て１は合成樹脂や金属で形成された外側筒状体２の内部に合成樹脂や金属で形成された内側筒状体３が層状に重合されて継ぎ合わせ嵌合で外側筒状体２の下側の開口２ｅから内側筒状体３が出没自在になっている。
外側筒状体２は上側の開口２ａが矩形の筒状部２′と下側の円錐形の筒状部２″が一体に形成されている。
外側筒状体２の筒状部２′の外側には釣り用容器４に引っ掛けるフック状の係止具２ｂが形成され、係止具２ｂの下側の筒状部２″側に溝２ｃが形成されている。
外側筒状体２の筒状部２″と内側筒状体３は下方側が上方側に比べ縮径されて小径に形成されて内側筒状体３の上側の外周係合部３ａは筒状部２″の下側の内周係合部２ｄの内側にテ−パ−で嵌合されて下側に抜け止めされている。
内周係合部２ｄと外周係合部３ａにはこの部分の動きを確実に止め又は、水漏れを少なくするため筒状部２″や内側筒状体３より軟質の合成樹脂層が設けられている。
内側筒状体３は上方が開放され開口３ｄを有しているが下方は底部３ｂが形成されて閉塞されている。
底部３ｂの一側には外方へ突出する度当り部３ｃが形成されて内側筒状体３が外側筒状体２の内部に収納されたとき筒状部２″の下端に当接して外側筒状体２の上方から抜け出すことも規制されている。
度当り部３ｃは内側筒状体３が外側筒状体２の中に収納された時係止具２ｂの溝２ｃに係合される。
【００１０】
釣り用容器４は、上部開口４ａが矩形の容器体で、側面部４ｂと底部４ｃが、例えばエチレン酢酸ビニ−ルや塩化ビニ−ル等の合成樹脂製シ−トを用いて一体、もしくは、複数のシ−トを溶着等で接合して形成されて防水性と柔軟性を有しており、上記シ−トで形成した側面部４ｂは折り曲げることができ釣り用容器４は折り畳みが可能になっている。
釣り用容器４の周囲の側面部４ｂの開口縁に金属線１０がシ−ト材で包み込まれ、側面部４ｂは開口４ａにおいて内側から外側へ折り返されて側面部４ｂに高周波溶着等で溶着固定されている。
側面部４ｂの前面と後面に図示しないハンドルが取り付けられている。
釣り用容器４の中には撒き餌５が収納されて柄杓６で掬い上げられるように構成されている。
釣り用柄杓立て１のフック状の係止具２ｂは、釣り用容器４の一側側面部４ｂの内側を覆う板状に形成して、この板状の係止具に柄杓６で掬い上げられた撒き餌５を撒き餌しやすいように押圧させて固めてもよい。
【００１１】
釣り用柄杓立て１を使用するときは、外側筒状体２から内側筒状体３を引き出し、内周係合部２ｄと外周係合部３ａで抜け止めして引き延ばした使用状態とする。
次にフック状の係止具２ｂを釣り用容器４等に引っ掛けて係止し使用状態とすることが出来る。
釣り用容器４の中から撒き餌５を柄杓６で掬い上げない時は釣り用柄杓立て１の上方の開口２ａから柄杓６を差し込んで立ておくことができる。
この時内部に水１１を入れておくことが出来、筒状部２″と内側筒状体３の繋ぎ目は水が漏れないようになっている。
従って、内側筒状体３の内部の水１１で柄杓６に付いた撒き餌５を洗い流すことが出来る。
この釣り用柄杓立て１を畳むときは、釣り用容器４から取り外し、内側筒状体３を筒状部２″の内部に押し込んで収納できる。
この収納前は内部が平らになっているため容易に水で洗浄することができる。
内側筒状体３を筒状部２″内部に収納した後はコンパクトになり容易に持ち運びができる。
【００１２】
釣り用柄杓立て１をフック状の係止具２ｂで釣り用容器４等に引っ掛ける係止状態で使用するので撒き餌される時は、柄杓６の握り部６ａを握って杓部６ｂで撒き餌５が掬い上げられて投げられる。
この時釣人は柄杓立て１から取り出した柄杓６をそのまま釣り用容器４方向へまつすぐ移動させることで手元を見なくても柄杓６の握り部６ａを握って確実に釣り用容器４の中に差し入れることができる。
したがって、釣人は柄杓６を開口４ａに当ててその位置をさぐらなくても撒き餌を掬うことができる。
しかも、撒き餌を掬った柄杓６を柄杓立て１から釣り用容器４へ移動させた方向をそのまま逆に戻せばよい。
【００１３】
前記のように釣り用柄杓立てが構成されると、釣り用柄杓立ては内側筒状体３を外側筒状体２の内部２ｆに収納して長さを縮めて持ち運びの邪魔にならないようにできると共に洗浄が容易にできる。
【実施例２】
【００１４】
図６から図８は第２実施例で、図６は釣り用柄杓立てが引き出し状態の係止具を右側にした側面図と一部拡大断面側面図、図７は釣り用柄杓立ての平面図、図８は釣り用柄杓立てが収納状態の係止具を右側にした側面図と一部拡大断面側面図である。
【００１５】
第２実施例では、釣り用柄杓立て１′は合成樹脂や金属で形成された外側筒状体７の内部に合成樹脂や金属で形成された中間筒状体８と内側筒状体９が層状に重合されて継ぎ合わせ嵌合で外側筒状体７の下側から中間筒状体８と内側筒状体９が出没自在になっている。
外側筒状体７は上側の開口７ａが矩形で底部７ｂに円形の透孔７ｃが形成されて透孔７ｃの内側の孔縁に小さな断面突部からなる係合部７ｄが形成されている。
外側筒状体７の上側の開口７ａの縁の一部の対向位置には小さな断面突部からなる係合部７ｅが形成されている。
外側筒状体７の外側には釣り用容器に引っ掛けるフック状の係止具７ｆが形成されている。
【００１６】
中間筒状体８と内側筒状体９は上方側と下方側の筒径が等しいか、下方側が上方側に比べ縮径されて小径に形成されている。
中間筒状体８の上端の縁の外周と内周に小さな断面突部からなる環状係合部８ａ、８ｂが形成されている。
中間筒状体８の下端の縁の外周の少し上側に小さな断面突部からなる環状係合部８ｃが、下端の縁の内周に小さな断面突部からなる環状係合部８ｄが形成されている。
内側筒状体９の上端の縁の外周に小さな断面突部からなる環状係合部９ａが形成されている。
内側筒状体９の下端の縁の外周の少し上側に小さな断面突部からなる環状係合部９ｂが、下端には底部９ｃが形成されている。
外側筒状体７の中に中間筒状体８と内側筒状体９が挿入される時は、それぞれ変形して小さな断面突部からなる環状係合部を乗り越えて押し込まれる。
他の構成は前記第１実施例と略同一である。
【００１７】
釣り用柄杓立て１′が使用されるときは、中間筒状体８から内側筒状体９が引き出され、内側筒状体９の下端の縁の外周の少し上側に形成された小さな断面突部からなる環状係合部９ｂが、中間筒状体８の下端の縁の内周に形成された小さな断面突部からなる環状係合部８ｄから離脱されて引き出され、内側筒状体９の上端の縁の外周に形成された小さな断面突部からなる環状係合部９ａが、中間筒状体８の下端の縁の内周に形成された小さな断面突部からなる環状係合部８ｄに係止される。
外側筒状体７から中間筒状体８が引き出されると、中間筒状体８の上端の縁の外周に形成された小さな断面突部からなる環状係合部８ａが透孔７ｃの孔縁に形成された小さな断面突部からなる係合部７ｄの上に載せられる。
各環状係合部の強度は筒状体に柄杓や水を入れても保持できる強度が確保されている。
この釣り用柄杓立て１′を畳むときは、内側筒状体９と中間筒状体８を外側筒状体７の内部に押し込んで収納できる。
【産業上の利用可能性】
【００１８】
本発明は釣り用柄杓立て全般に利用できる。
【図面の簡単な説明】
【００１９】
【図１】第１実施例で、釣り用柄杓立ての平面図である。
【図２】同釣り用柄杓立てが引き出し状態の係止具側の側面図である。
【図３】同釣り用柄杓立てが引き出し状態の係止具を右側にした側面図である。
【図４】同釣り用柄杓立てが収納状態の係止具を右側にした側面図である。
【図５】同柄杓が差し込まれた釣り用容器の一側面に釣り用柄杓立てを取り付けた要部断面側面図である。
【図６】第２実施例で、釣り用柄杓立てが引き出し状態の係止具を右側にした側面図と一部拡大断面側面図である。
【図７】同釣り用柄杓立ての平面図である。
【図８】同釣り用柄杓立てが収納状態の係止具を右側にした側面図と一部拡大断面側面図である。
【符号の説明】
【００２０】
１、１′  釣り用柄杓立て
２、３、７、８、９  筒状体
２ｄ、３ａ、７ｄ、７ｅ、８ａ、８ｂ、８ｃ、８ｄ、９ａ、９ｂ  係合部
【図１】
2006055107.tif 000003
【図２】
2006055107.tif 000004
【図３】
2006055107.tif 000005
【図４】
2006055107.tif 000006
【図５】
2006055107.tif 000007
【図６】
2006055107.tif 000008
【図７】
2006055107.tif 000009
【図８】
2006055107.tif 000010